(57)【要約】【課題】  ある一定の方向の撓みを、簡単に且つ効果的に除去・抑制することのできる建築構造材の提供。【解決手段】  荷重を受けて一方側に撓もうとする長尺材１と、長尺材の撓みを抑制する補強材２とを備え、補強材は、長尺材の一端部に固定した一端部側受け具３と、長尺材の他端部に固定した他端部側受け具４と、長尺材の中空部内に配置してあり一端部側受け具３と他端部側受け具４を繋いでいる線材７と、長尺材の中空部１８に嵌挿してあり且つ線材の貫通部５を有するピース材６と、一端部側受け具と他端部側受け具の少なくとも何れか一方と線材との間に設けられ線材に張力を付与する張力付与部材８とから構成してあり、ピース材の貫通部５は、一端部側受け具３と他端部側受け具４の線材７の取付位置を結ぶ線上から一方側に偏位した位置に設けてあることを特徴とする。【選択図】      図１
2004332532.tif 000002
【特許請求の範囲】
【請求項１】
荷重を受けて一方側に撓もうとする長尺材と、長尺材の撓みを抑制する補強材とを備え、補強材は、長尺材の一端部に固定した一端部側受け具と、長尺材の他端部に固定した他端部側受け具と、長尺材の中空部内に配置してあり一端部側受け具と他端部側受け具を繋いでいる線材と、長尺材の中空部に嵌挿してあり且つ線材の貫通部を有するピース材と、一端部側受け具と他端部側受け具の少なくとも何れか一方と線材との間に設けられ線材に張力を付与する張力付与部材とから構成してあり、ピース材の貫通部は、一端部側受け具と他端部側受け具の線材の取付位置を結ぶ線上から一方側に偏位した位置に設けてあることを特徴とする建築構造材。
【発明の詳細な説明】
【技術分野】
【０００１】
本発明は、トラス梁の弦材等として用いられる長尺の建築構造材に関するものである。
【背景技術】
【０００２】
トラス梁は、二本の弦材の間に多数の斜材をピン接合等によって取付けて構成される。トラス梁は、弦材や斜材の自重、ピン接合部のクリアランスなどの影響により、組み立てた時点で既に少なからず撓みが発生している。一旦トラス梁を組み立てた後、その撓みを除去するには大変な労力を要する。
【０００３】
特許文献１や特許文献２には、トラス梁の弦材にワイヤー等の線材を緊設してプレストレスを与え、トラス梁の撓みを抑制する技術が記載されている。この技術は、弦材に予め圧縮応力を与えておくことで、弦材に荷重が加わった際に弦材に発生する引張り応力を打ち消して撓みを抑制するものである。この場合、線材は弦材の断面の中心位置、もしくは中心に対して対称な位置の二箇所に配置され、線材を緊張しても弦材には圧縮力が付与されるだけなので、トラス梁を組み立てた時に既に生じている僅かな撓み等、ある一定の方向の撓みを効果的に除去・抑制できるものではなかった。
【特許文献１】特開昭６２−２２８５４９号公報
【特許文献２】特開平４−２５０２４６号公報
【発明の開示】
【発明が解決しようとする課題】
【０００４】
本発明は以上に述べた実情に鑑みてなされたものであって、ある一定の方向の撓みを、簡単に且つ効果的に除去・抑制することのできる建築構造材の提供を目的とする。
【課題を解決するための手段】
【０００５】
上記の課題を達成するために本発明の建築構造材は、荷重を受けて一方側に撓もうとする長尺材と、長尺材の撓みを抑制する補強材とを備え、補強材は、長尺材の一端部に固定した一端部側受け具と、長尺材の他端部に固定した他端部側受け具と、長尺材の中空部内に配置してあり一端部側受け具と他端部側受け具を繋いでいる線材と、長尺材の中空部に嵌挿してあり且つ線材の貫通部を有するピース材と、一端部側受け具と他端部側受け具の少なくとも何れか一方と線材との間に設けられ線材に張力を付与する張力付与部材とから構成してあり、ピース材の貫通部は、一端部側受け具と他端部側受け具の線材の取付位置を結ぶ線上から一方側（荷重により長尺材が撓もうとする側と同じ側）に偏位した位置に設けてあることを特徴とする。
【発明の効果】
【０００６】
本発明の建築構造材は、ピース材の線材の貫通部が、一端部側受け具と他端部側受け具の線材の取付位置を結ぶ線上から一方側に偏位した位置に設けてあるため、線材に張力を付与することで長尺材を他方側に撓ませようとする力が発生し、荷重によって生ずる長尺材の一方側への撓みを、簡単に且つ効果的に除去し抑制することができる。
【発明を実施するための最良の形態】
【０００７】
以下、本発明の実施の形態を図面に基づいて説明する。図４は、本発明を適用したトラス梁１７を示している。このトラス梁１７は、平行に配置された上弦材９と下弦材１の間に斜材１０を複数架設して構成し、上弦材９の両端部で支持されており、下弦材１に本発明の建築構造材を用いている。
【０００８】
下弦材１には、荷重による撓みを除去・抑制するために、線材７等からなる補強材２を備えている。下弦材１は円形断面のパイプ状となっており、その中空部１８に線材７が挿通してある。線材７には、鋼製の強力なワイヤーやロッド等が使用される。下弦材１の一端部には一端部側受け具３が固定され、他端部には他端部側受け具４が固定されている。さらに、下弦材１の真ん中寄りの二箇所には、ピース材６が下弦材１の中空部１８に嵌挿し固定してある。一端部側受け具３と他端部側受け具４は、中心軸に一致させて線材７の貫通孔１１を設けてある。一方、ピース材６は、図３に示すように、下弦材１の断面の中心から下側に偏位した位置に、線材７の貫通部５を有している。ここでは貫通部５は、貫通孔に形成してある。貫通部５は、線材７がきっちり嵌まる大きさ・形であってもよいし、いくらかクリアランスがあってもよい。貫通部５に線材７を溶接し、ピース材６を線材７に固定して、下弦材１の中空部１８内に設置してもよい。
【０００９】
図１と図２に示すように、線材７の両端部は、ボルト１２を連結することによってネジにしてある。ボルト１２は一端部側受け具３と他端部側受け具４の貫通孔１１から突出し、各々に座金１３を挟んで２個のナット８（いわゆるダブルナット）が螺合している。両受け具３，４には着脱可能なキャップ１４が取付けられ、ボルト１２とナット８を隠蔽してある。
【００１０】
上弦材９と下弦材１には斜材取付部１５を有しており、そこに斜材１０の端部をピン１６で接合してある。このようなトラス梁１７は、自重やピン接合部のクリアランス等の影響により、図４（ａ）に示すように、組み立てた時点で既に撓みが発生している。本トラス梁１７は、この撓みを簡単に除去することができる。これは、下弦材１の一端部側と他端部側の何れか、又は両側において、ナット８を締め付けることによって行う。ナット８を締め付けると、線材７は緊張してまっすぐになろうとするが、ピース材６の線材の貫通部５が、下弦材１の断面の中心から下側に偏位した位置に設けてあるために、図４（ｂ）に示すように、各ピース材６には上向きの力が働き、この力が下弦材１を逆向きに撓ませようとするので、当初の撓みが取り除かれる。そうして組み立て時の撓みが除去された後も、線材７の張力は維持されるから、トラス梁１７に下向きの荷重が加わって撓もうとすると、ピース材６に上向きの力が発生して下弦材１を上向きに撓ませようとするから、撓みを効果的に抑制することができる。
【００１１】
本発明の建築構造材は、トラス梁の弦材として用いる場合に限らず、荷重を受けて一方側に撓もうとする建築構造材に広く用いることができる。長尺材１は、円形断面に限らず矩形断面の部材であってもよい。ピース材６の線材の貫通部５の位置は、一端部側受け具３と他端部側受け具４の線材７の取付位置を結ぶ直線を基準として、その線上から長尺材が撓もうとする一方側に偏位した位置に設けてあればよく、例えば自重による長尺材の撓みを除去する場合で、図６に示すように、一端部側受け具３及び他端部側受け具４の線材の貫通孔１１が上方に偏位した位置にあるときには、ピース材６の線材の貫通部５を中空部１８の断面中央部に設けることもできる。また、ピース材６に設ける線材の貫通部５は、図５に示すように溝状に形成したものであってもよい。ピース材５は、長尺材１の中空部１８に嵌め込んで固定してもよいが、例えば長尺材１の中空部１８の内面に、ピース材６の脚部１９が嵌合する溝を設けて、ピース材６の回転を規制してもよい。ピース材６を設置する位置や個数は限定しないが、長尺材１に最大の撓みが発生する位置の近辺に設置してあることが好ましい。
【図面の簡単な説明】
【００１２】
【図１】本発明の建築構造材の一端部の縦断面図である。
【図２】本発明の建築構造材の一端部を分解した状態で示す縦断面図である。
【図３】図１におけるＡ−Ａ断面図である。
【図４（ａ）（ｂ）】本発明の建築構造材を下弦材として用いたトラス梁を、下弦材を縦断した状態で示す正面図であって、（ａ）は線材に張力を付与する前の状態、（ｂ）は線材に張力を付与したときの状態を示している。
【図５】ピース材の別の実施形態を示す断面図である。
【図６】本発明の建築構造材の別の実施形態を示す縦断面図である。
【符号の説明】
【００１３】
１  下弦材（長尺材）
２  補強材
３  一端部側受け具
４  他端部側受け具
５  貫通部
６  ピース材
７  線材
８  ナット（張力付与部材）
１８  中空部
【図１】
2004332532.tif 000003
【図２】
2004332532.tif 000004
【図３】
2004332532.tif 000005
【図４（ａ）（ｂ）】
2004332532.tif 000006
【図５】
2004332532.tif 000007
【図６】
2004332532.tif 000008